【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
防振に際して移動可能な撮像素子を有する撮像装置に着脱可能なレンズ装置であって、
物体の像を形成する光学系と、
撮影条件とそれに対応する前記光学系のイメージサークルの位置情報との関係を示す第１の情報を記憶した記憶部と、
前記第１の情報の少なくとも一部を前記撮像装置に送信する送信部とを有することを特徴とするレンズ装置。
【請求項２】
前記イメージサークルの位置情報は、前記レンズ装置又は前記撮像装置の姿勢、前記光学系のズーム位置、前記光学系のフォーカス位置、及び前記光学系の絞り位置の少なくとも一つに応じて異なることを特徴とする請求項１に記載のレンズ装置。
【請求項３】
前記記憶部は、撮影条件とそれに対応する前記光学系のイメージサークルのサイズ情報との関係を示す第２の情報を記憶し、
前記送信部は、前記第２の情報の少なくとも一部を前記撮像装置に送信することを特徴とする請求項１又は２に記載のレンズ装置。
【請求項４】
前記イメージサークルのサイズ情報は、前記レンズ装置又は前記撮像装置の姿勢、前記光学系のズーム位置、前記光学系のフォーカス位置、及び前記光学系の絞り位置の少なくとも一つに応じて異なることを特徴とする請求項３に記載のレンズ装置。
【請求項５】
前記送信部は、前記第１の情報のすべてを一括して前記撮像装置に送信することを特徴とする請求項１乃至４の何れか一項に記載のレンズ装置。
【請求項６】
前記送信部が前記撮像装置に送信する前記第１の情報は、該送信の時点での撮影条件とそれに対応する前記光学系のイメージサークルの位置情報との関係を示す情報を含むことを特徴とする請求項１乃至５の何れか一項に記載のレンズ装置。
【請求項７】
前記光学系は、前記防振に際して移動可能な光学素子を含み、
前記光学系のイメージサークルの位置ずれを補正するために前記光学素子を移動させる制御部を有することを特徴とする請求項１乃至６の何れか一項に記載のレンズ装置。
【請求項８】
前記制御部は、前記位置ずれの補正に際して、前記イメージサークルの中心が前記防振に際しての前記撮像素子の中心の原点位置に近づくように前記光学素子を移動させることを特徴とする請求項７に記載のレンズ装置。
【請求項９】
前記位置ずれを補正するために前記撮像素子が移動し、
前記制御部は、前記光学系の焦点距離に応じて、前記位置ずれの補正に際しての前記光学素子及び前記撮像素子の移動量の割合を異ならせることを特徴とする請求項７又は８に記載のレンズ装置。
【請求項１０】
前記制御部は、前記焦点距離が第１の距離である場合の前記位置ずれの補正に際しての前記光学素子の前記移動量の割合を、前記焦点距離が第１の距離よりも短い第２の焦点距離である場合の前記位置ずれの補正に際しての前記光学素子の前記移動量の割合よりも大きくすることを特徴とする請求項９に記載のレンズ装置。
【請求項１１】
前記光学系は、前記防振に際して移動可能な光学素子を含み、
前記制御部は、前記光学系の焦点距離に応じて、前記防振に際しての前記光学素子及び前記撮像素子の移動量の割合を異ならせることを特徴とする請求項１乃至１０の何れか一項に記載のレンズ装置。
【請求項１２】
前記制御部は、前記焦点距離が第１の距離である場合の前記防振に際しての前記光学素子の前記移動量の割合を、前記焦点距離が第１の距離よりも短い第２の焦点距離である場合の前記防振に際しての前記光学素子の前記移動量の割合よりも小さくすることを特徴とする請求項１１に記載のレンズ装置。
【請求項１３】
物体の像を形成する光学系を有するレンズ装置が着脱可能な撮像装置であって、
防振に際して移動可能な撮像素子と、
前記撮像素子の移動を制御する制御部とを有し、
前記制御部は、前記レンズ装置から送信された、撮影条件とそれに対応する前記光学系のイメージサークルの位置情報との関係を示す第１の情報の少なくとも一部を用いて、前記防振に際しての前記撮像素子の原点位置を設定することを特徴とする撮像装置。
【請求項１４】
前記イメージサークルの位置情報は、前記レンズ装置又は前記撮像装置の姿勢、前記光学系のズーム位置、前記光学系のフォーカス位置、及び前記光学系の絞り位置の少なくとも一つに応じて異なることを特徴とする請求項１３に記載の撮像装置。
【請求項１５】
前記制御部は、前記レンズ装置から送信された、撮影条件とそれに対応する前記光学系のイメージサークルのサイズ情報との関係を示す第２の情報の少なくとも一部を用いて、前記防振に際しての前記撮像素子の移動可能量を設定することを特徴とする請求項１３又は１４に記載の撮像装置。
【請求項１６】
前記イメージサークルのサイズ情報は、前記レンズ装置又は前記撮像装置の姿勢、前記光学系のズーム位置、前記光学系のフォーカス位置、及び前記光学系の絞り位置の少なくとも一つに応じて異なることを特徴とする請求項１５に記載の撮像装置。
【請求項１７】
前記制御部は、前記第１の情報のすべてを一括して前記レンズ装置から受信することを特徴とする請求項１３乃至１６の何れか一項に記載の撮像装置。
【請求項１８】
前記制御部は、前記レンズ装置から送信された前記第１の情報に、該送信の時点での撮影条件とそれに対応する前記光学系のイメージサークルの位置情報との関係を示す情報が含まれていない場合は、該第１の情報を用いた補間演算により取得した情報を用いて前記原点位置を設定することを特徴とする請求項１３乃至１７の何れか一項に記載の撮像装置。
【請求項１９】
前記レンズ装置から送信された前記第１の情報は、該送信の時点での撮影条件とそれに対応する前記光学系のイメージサークルの位置情報との関係を示す情報を含むことを特徴とする請求項１３乃至１７の何れか一項に記載の撮像装置。
【請求項２０】
前記制御部は、前記撮像素子の中心が前記光学系のイメージサークルの中心に近づくように前記撮像素子を移動させることで、前記原点位置を設定する請求項１３乃至１９の何れか一項に記載の撮像装置。
【請求項２１】
前記光学系は、前記原点位置の設定に際して移動可能な光学素子を含み、
前記制御部は、前記光学系の焦点距離に応じて、前記原点位置の設定に際しての前記光学素子及び前記撮像素子の移動量の割合を異ならせることを特徴とする請求項１３乃至２０の何れか一項に記載の撮像装置。
【請求項２２】
前記制御部は、前記焦点距離が第１の距離である場合の前記原点位置の設定に際しての前記撮像素子の前記移動量の割合を、前記焦点距離が第１の距離よりも短い第２の焦点距離である場合の前記原点位置の設定に際しての前記撮像素子の前記移動量の割合よりも小さくすることを特徴とする請求項２１に記載の撮像装置。
【請求項２３】
前記光学系は、前記防振に際して移動可能な光学素子を含み、
前記制御部は、前記光学系の焦点距離に応じて、前記防振に際しての前記光学素子及び前記撮像素子の移動量の割合を異ならせることを特徴とする請求項１３乃至２２の何れか一項に記載の撮像装置。
【請求項２４】
前記制御部は、前記焦点距離が第１の距離である場合の前記防振に際しての前記撮像素子の前記移動量の割合を、前記焦点距離が第１の距離よりも短い第２の焦点距離である場合の前記防振に際しての前記撮像素子の前記移動量の割合よりも大きくすることを特徴とする請求項２３に記載の撮像装置。
【請求項２５】
前記制御部は、前記光学系のイメージサークルのサイズ情報に応じて、前記光学素子及び前記撮像素子の移動量の割合を異ならせることを特徴とする請求項２１乃至２４の何れか一項に記載の撮像装置。
【請求項２６】
前記制御部は、前記レンズ装置がアタッチメントレンズを介して前記撮像装置に装着されている場合、前記レンズ装置から受信した前記第１の情報の少なくとも一部と前記アタッチメントレンズの光学特性とを用いて前記原点位置を設定することを特徴とする請求項１３乃至２５の何れか一項に記載の撮像装置。
【請求項２７】
防振に際して移動可能な撮像素子を有する撮像装置に着脱可能であり、物体の像を形成する光学系を有するレンズ装置の制御方法であって、
撮影条件とそれに対応する前記光学系のイメージサークルの位置情報との関係を示す第１の情報の少なくとも一部を、前記レンズ装置から前記撮像装置に送信させるステップを有することを特徴とする制御方法。
【請求項２８】
物体の像を形成する光学系を有するレンズ装置が着脱可能であり、防振に際して移動可能な撮像素子を有する撮像装置の制御方法であって、
前記レンズ装置から送信された、撮影条件とそれに対応する前記光学系のイメージサークルの位置情報との関係を示す第１の情報の少なくとも一部を用いて、前記防振に際しての前記撮像素子の原点位置を前記撮像装置に設定させるステップを有することを特徴とする制御方法。
【請求項２９】
請求項２７又は２８に記載の制御方法に従う処理をコンピュータに実行させることを特徴とするプログラム。
【請求項３０】
請求項２９に記載のプログラムを記憶していることを特徴とする記憶媒体。
【手続補正２】
【補正対象書類名】明細書
【補正対象項目名】発明の名称
【補正方法】変更
【補正の内容】
【発明の名称】レンズ装置、撮像装置、及びそれらの制御方法
【手続補正３】
【補正対象書類名】明細書
【補正対象項目名】０００１
【補正方法】変更
【補正の内容】
【０００１】
本発明は、レンズ装置、撮像装置、及びそれらの制御方法に関する。
【手続補正４】
【補正対象書類名】明細書
【補正対象項目名】０００７
【補正方法】変更
【補正の内容】
【０００７】
そこで、本発明は、レンズ装置のイメージサークルの位置がずれた場合でも、装置全体を大型化することなく、防振に際しての撮像素子の移動範囲の確保を実現することを目的とする。
【手続補正５】
【補正対象書類名】明細書
【補正対象項目名】０００８
【補正方法】変更
【補正の内容】
【０００８】
本発明のレンズ装置は、防振に際して移動可能な撮像素子を有する撮像装置に着脱可能なレンズ装置であって、物体の像を形成する光学系と、撮影条件とそれに対応する前記光学系のイメージサークルの位置情報との関係を示す第１の情報を記憶した記憶部と、前記第１の情報の少なくとも一部を前記撮像装置に送信する送信部とを有することを特徴とする。
【手続補正６】
【補正対象書類名】明細書
【補正対象項目名】０００９
【補正方法】変更
【補正の内容】
【０００９】
本発明の撮像装置は、物体の像を形成する光学系を有するレンズ装置が着脱可能な撮像装置であって、防振に際して移動可能な撮像素子と、前記撮像素子の移動を制御する制御部とを有し、前記制御部は、前記レンズ装置から送信された、撮影条件とそれに対応する前記光学系のイメージサークルの位置情報との関係を示す第１の情報の少なくとも一部を用いて、前記防振に際しての前記撮像素子の原点位置を設定することを特徴とする。
【手続補正７】
【補正対象書類名】明細書
【補正対象項目名】００１０
【補正方法】変更
【補正の内容】
【００１０】
本発明によれば、レンズ装置のイメージサークルの位置がずれた場合でも、装置全体を大型化することなく、防振に際しての撮像素子の移動範囲の確保を実現することができる。